(57)【要約】【課題】  凝集剤を注入して被処理水の懸濁物および／または溶解物を除去する水処理システムにおいて、被処理水のｐＨ変動に関わりなく凝集剤の適切な注入を行う。【解決手段】  被処理水に凝集剤とｐＨ調整剤とを注入して被処理水中の懸濁物および／または溶解物を凝集フロック化して除去する水処理システムにおいて、凝集状態計測手段にて計測された被処理水の凝集状態とｐＨ調整剤注入制御手段によるｐＨ調整剤の注入状態とに従って凝集剤の注入を制御する。特に被処理水のｐＨが適正範囲から外れている場合には、ｐＨ調整剤注入制御手段における制御目標値を補正して被処理水のｐＨを適正化した後、凝集剤の注入を制御する。【選択図】      図１
2005193203.tif 000002
【特許請求の範囲】
【請求項１】
被処理水に凝集剤とｐＨ調整剤とを注入して被処理水中の懸濁物および／または溶解物を凝集化して除去する水処理システムにおいて、
前記凝集剤とｐＨ調整剤とが注入された被処理水のｐＨを計測するｐＨ計と、
このｐＨ計にて計測された上記被処理水のｐＨに従って該被処理水への前記ｐＨ調整剤の注入を制御するｐＨ調整剤注入制御手段と、
前記凝集剤とｐＨ調整剤とが注入された被処理水における凝集フロックの状態を検出する凝集状態計測手段と、
この凝集状態計測手段にて計測された前記被処理水の凝集状態に応じて前記凝集剤の注入を制御する凝集剤注入制御手段と、
前記凝集状態計測手段にて計測された前記被処理水の凝集状態と前記ｐＨ調整剤注入制御手段によるｐＨ調整剤の注入状態とに従って前記凝集剤注入制御手段の作動を制御し、および／または前記ｐＨ調整剤注入制御手段における制御目標値を補正する制御管理手段と
を具備したことを特徴とする水処理システム。
【請求項２】
前記ｐＨ調整剤注入制御手段は、前記被処理水のｐＨが目標値となるようにｐＨ調整剤の注入を選択的に制御するものであって、
前記制御管理手段は、前記ｐＨ調整剤の注入中であるか、注入停止後の予め設定した監視時間内であるか、或いは注入停止後の上記監視時間経過後であるかに応じて前記被処理水の凝集状態を判定する手段と、この判定結果により前記ｐＨ調整剤注入制御手段の制御の適否を判定する手段と、この適否判定により前記ｐＨ調整剤注入制御手段の制御が適切であると判定したときにだけ前記凝集剤注入制御手段の作動を許可するものである請求項１に記載の水処理システム。
【請求項３】
前記制御管理手段は、前記ｐＨ調整剤の注入停止後の予め設定した監視時間経過後であって前記被処理水の凝集状態が変化している場合には、前記ｐＨ調整剤注入制御手段の制御が不適であると判定し、前記ｐＨ調整剤注入制御手段における制御目標値を補正して前記被処理水のｐＨを最適化した後、上記制御目標値を復元すると共に前記凝集剤注入制御手段の作動を許可し、
前記ｐＨ調整剤の注入中、または注入停止後の予め設定した監視時間内である場合には、前記ｐＨ調整剤注入制御手段の制御が適切であると判定して前記凝集剤注入制御手段の作動を許可するものである請求項２に記載の水処理システム。
【請求項４】
請求項１に記載の水処理システムにおいて、
更に前記被処理水の流量および／または温度を計測する手段を備え、
流量および／または温度の変動に起因して前記凝集状態計測手段にて計測される前記被処理水の凝集状態が変化している場合には、前記凝集剤注入制御手段の作動を禁止する手段を備えることを特徴とする水処理システム。
【発明の詳細な説明】
【技術分野】
【０００１】
本発明は、凝集剤を注入して被処理水中の懸濁物および／または溶解物を除去する水処理システムに関する。
【背景技術】
【０００２】
用水処理や排水処理においては、処理対象とする原水（被処理水）に無機系または有機系の凝集剤を注入して被処理水中に含まれる懸濁物や溶解物を凝集させ、凝集フロックとして除去することが行われる。この際、凝集処理過程における懸濁液をサンプリングして計測槽に導き、沈降分離や濾過等の手段を用いて固液分離処理を行った後にその処理液の濁度を計測したり、或いは濁度計を用いて凝集固液分離後の処理水濁度を計測して上記凝集剤の注入量を制御することが行われる（例えば特許文献１を参照）。
【０００３】
一方、本発明者らは、凝集フロックを形成した固液混合状態の懸濁液中にレーザ光を照射し、上記懸濁液中の懸濁物への上記レーザ光の衝突により発生する散乱光を微少な計測領域において検出することで、凝集物（フロック）および未凝集物による各散乱光成分を互いに区別して前記懸濁液中の粒子の状態を精度良く検出する凝集センサ、更にはこの凝集センサの出力に基づいて原水に対する凝集剤の注入を制御することを提唱した（例えば特許文献２を参照）。
【特許文献１】特開平７−２０４４１２号公報
【特許文献２】特開２００２−２５７７１５号公報
【発明の開示】
【発明が解決しようとする課題】
【０００４】
ところで凝集槽内おける懸濁物や溶解物の凝集状態は、凝集剤の注入量のみならず、そのｐＨ値や水温、更には処理水量によっても影響を受ける。これ故、専ら、その運転条件を一定に保つと共に、凝集処理水にｐＨ調整剤を添加してそのｐＨを一定化するようにしている。
しかしながら凝集センサによって検出される凝集状態が短時間に変化した場合、その原因が凝集剤の注入量の過不足によるものか、或いはｐＨ調整剤の注入量の過不足によるものかを判別することができないと言う問題がある。そこで凝集槽内に設けたｐＨ計にて凝集処理水のｐＨを計測するようにしているが、ｐＨ計の安定した動作を確保するためには校正や電極の洗浄の等定期的なメンテナンスが必要であり、常に応答性・信頼性良く凝集処理水のｐＨを把握することが困難であると言う不具合がある。
【０００５】
本発明はこのような事情を考慮してなされたもので、その目的は、凝集剤を注入して被処理水中の懸濁物および／または溶解物を除去するに際して、凝集剤の注入による水質変動とそれ以外の、例えば処理水量やｐＨの変化等からなる水質変動要因とを区別して検出し、被処理水のｐＨを安定化した状態において凝集剤の注入制御を適切に、しかも迅速に行うことのできる水処理システムを提供することにある。
【課題を解決するための手段】
【０００６】
上述した目的を達成するべく本発明に係る水処理システムは、被処理水に凝集剤とｐＨ調整剤とを注入して被処理水中の懸濁物および／または溶解物を凝集フロック化して除去するシステムであって、
(ａ)  凝集剤とｐＨ調整剤とが注入された被処理水のｐＨを計測するｐＨ計と、
(ｂ)  このｐＨ計にて計測された上記被処理水のｐＨに従って該被処理水への前記ｐＨ調整剤の注入を制御するｐＨ調整剤注入制御手段と、
(ｃ)  凝集剤とｐＨ調整剤とが注入された被処理水における凝集フロックの状態を検出する凝集状態計測手段と、
(ｄ)  この凝集状態計測手段にて計測された前記被処理水の凝集状態に応じて前記凝集剤の注入を制御する凝集剤注入制御手段とを備え、特に
(ｅ)  前記凝集状態計測手段にて計測された前記被処理水の凝集状態と前記ｐＨ調整剤注入制御手段によるｐＨ調整剤の注入状態とに従って前記凝集剤注入制御手段の作動を制御する、および／または前記ｐＨ調整剤注入制御手段における制御目標値を補正する制御管理手段を備えたことを特徴としている。
【０００７】
即ち、本発明に係る水処理システムは、被処理水に対するｐＨ調整剤の注入状態に応じて、そのときの被処理水のｐＨと凝集状態計測手段にて計測される被処理水の凝集状態との相関から、凝集状態の変化がｐＨ調整剤の注入量の過不足によるものであるか否かを判定し、ｐＨ調整剤の注入が適正で被処理水のｐＨが安定していると認められる場合にだけ凝集剤の注入を制御することを特徴としている。換言すればｐＨ調整剤の注入が行われていない状態で凝集状態が変化しているような場合には、ｐＨ調整剤の注入量が不足であるとと判定してその制御目標値の補正やｐＨ計の校正等を実施することでｐＨ調整剤の注入を促し、被処理水のｐＨ調整が適正化された後に凝集剤の注入制御を行うことを特徴としている。
【０００８】
好ましくは前記ｐＨ調整剤注入制御手段は、前記被処理水のｐＨが目標値となるようにｐＨ調整剤の注入を選択的に制御するものであって、
前記制御管理手段は、前記ｐＨ調整剤の注入中であるか、注入停止後の予め設定した監視時間内であるか、或いは注入停止後の上記監視時間経過後であるかに応じて前記被処理水の凝集状態を判定し、その判定結果により前記ｐＨ調整剤注入制御手段の制御の適否を判定することで、前記ｐＨ調整剤注入制御手段の制御が適切であると判定したときにだけ前記凝集剤注入制御手段の作動を許可するように構成される（請求項２）。
【０００９】
更に好ましくは前記制御管理手段は、前記ｐＨ調整剤の注入停止後の予め設定した監視時間経過後であって前記被処理水の凝集状態が変化している場合には、前記ｐＨ調整剤注入制御手段の制御画不適切である判定し、前記ｐＨ調整剤注入制御手段における制御目標値を補正して前記被処理水のｐＨを最適化した後、上記制御目標値を復元すると共に前記凝集剤注入制御手段の作動を許可し、
前記ｐＨ調整剤の注入中、または注入停止後の予め設定した監視時間内である場合には、前記ｐＨ調整剤注入制御手段の制御が適切であると判定して前記凝集剤注入制御手段の作動を許可するように構成される（請求項３）。
【００１０】
また本発明に係る水処理システムは、更に前記被処理水の流量および／または温度を計測する手段を備え、流量および／または温度の変動に起因して前記凝集状態計測手段にて計測される前記被処理水の凝集状態が変化している場合には、前記凝集剤注入制御手段の作動を禁止する手段を備えたことを特徴としている（請求項４）。
【発明の効果】
【００１１】
上述した如く構成された水処理システムによれば、被処理水へのｐＨ調整剤の注入状態と、凝集状態検出手段にて求められる被処理水の凝集状態との相対関係に応じて凝集剤の注入を制御するので、例えば被処理水のｐＨ調整が適切でない場合には、ｐＨ調整が適切になるまで凝集剤の注入量の制御を禁止することで、凝集剤の無駄な注入を未然に防ぐことが可能となる。例えばｐＨ調整剤の注入が行われていない場合であって、且つ凝集状態が不良である場合には、ｐＨ調整が不適であると判定し、ｐＨ調整剤の注入目標値を補正することで速やかにその適正化を図った後、元の注入目標値に戻すと共に凝集剤の注入制御を開始する。従って凝集剤の注入量の過不足による水質変動が生じた場合にだけ、その注入量を適切に制御することが可能となる。
【００１２】
また被処理水の流量および／または温度をモニタしている場合には、その変化が要因となって凝集状態検出手段にて求められる被処理水の凝集状態が変化していることを容易に判定することが可能となるので、その変動要因を抑えた後に凝集剤の注入を制御することが可能となる。
【発明を実施するための最良の形態】
【００１３】
以下、図面を参照して本発明の一実施形態に係る水処理システムについて凝集沈殿処理を例に説明する。
図１は用水・排水（被処理水）に対して凝集沈殿処理を行う水処理システムの概略構成図で、１は被処理水を受け入れると共に、被処理水に注入された凝集剤を用いて原水中に含まれる懸濁物や溶解物を凝集させて凝集フロックを生成する凝集反応槽である。また２は上記凝集反応槽１から導かれる懸濁液を沈殿処理して固液分離させた処理水を得る沈殿槽である。
【００１４】
被処理水への、例えば無機凝集剤Ａの注入は、前記凝集反応槽１への被処理水の供給水系に対して、コンピュータからなる凝集剤注入制御装置３の制御の下でポンプ４を介して行われる。また凝集反応槽１にはポンプ５を介してｐＨ調整剤（例えば苛性ソーダ）Ｂが注入されるようになっている。このポンプ５によるｐＨ調整剤Ｂの注入は、基本的には前記凝集反応槽１に設けられたｐＨ計６により計測される被処理水（懸濁液）のｐＨ値に基づき、ｐＨコントローラ７の制御の下で所定のｐＨ値となるように行われる。また前記凝集反応槽１から沈殿槽２に導かれる懸濁液には、ポンプ８を介して適宜、高分子凝集剤Ｃが注入されるようになっている。
【００１５】
また前記凝集反応槽１には懸濁液の凝集状態を検出する凝集状態計測手段としての凝集センサ１１が設けられている。そしてこの凝集センサ１１にて検出された情報（濁度およびフロック形成状態）は前記凝集剤注入制御装置３に取り込まれるようになっている。
尚、凝集センサ１１は、前述した特許文献２に詳しく紹介されるものであるが、簡単に説明すると、例えば図２に示すように投光部と受光部とを近接配置させて計測対象水（検水）中に設けられるプローブ１３と、このプローブ１３を介して検水中に振幅変調（ＡＭ変調）したレーザ光を照射する発光部１４と、検水中の粒子への上記レーザ光の衝突により発生する散乱光を前記プローブ１３を介して検出して該計測対象水の濁度やフロック形成状態を検出する検出部１５とを備えたものである。特に検出部１５においては、散乱光Ｓの受光量（受光強度）に応じた電気信号を発生する光電変換器の出力から帯域通過フィルタ（ＢＰＦ）を介して前述した振幅変調した周波数成分Ｆだけを抽出した後、その振幅変調周波数成分を検波してその包絡線成分Ｅを求めるように構成される。
【００１６】
このようにしてレーザ光が照射された微小な領域Ｓにて生じる散乱光について考察すると、この領域Ｓにおいて懸濁物質からなる微小なコロイド粒子によって生じる散乱光の強度は、微小コロイド粒子の数に比例して大きくなる。そして微小コロイド粒子の数は、その凝集が進んで粒子径の大きいフロックが生成されるに従って減少する。これに対してフロックは微小コロイド粒子が凝集したものであるから、凝集が進むに従ってその数が増えるものの微小コロイド粒子に比較して遙かにその数が少ない。これ故、上記フロックが前述した微小な領域Ｓに存在する可能性は低く、一時的に微小領域Ｓに入り込むに過ぎない。但し、フロックが微小領域Ｓに入り込む頻度は、凝集の進行に伴ってフロックの数が増えるに従って高くなる。
【００１７】
従って前述したようにして微小領域Ｓにおける散乱光の強度を計測すると、検水中の懸濁物質の凝集が進んで微小コロイド粒子の数が減り、フロックの数が徐々に増えるに従って前記微小領域Ｓでの散乱光の強度が上記フロックにより一時的に高くなることがあるものの、全体的には低くなる。これ故、フロックの存在によって散乱光強度が一時的に高くなった場合を除いて、その全体的な散乱光の強度に着目すれば、そのときの散乱光強度はフロック化していない未凝集のコロイド粒子の数を示していると看做すことが可能となる。また前述した散乱光の強度に応じた包絡線成分の最低値を検出すれば、検水中における未凝集のコロイド粒子数を求めることができる。更にはフロックにより散乱光の強度が一時的に高くなる周期に着目すれば、凝集により生じたフロックの数（検水中におけるフロックの密度）を求めることが可能となり、一時的な散乱光強度の大きさからフロックの粒子径を求めることも可能となる。
【００１８】
さてこの発明に係る水処理システムが特徴とするところは、前述した無機凝集剤Ａの注入を制御する凝集剤注入制御装置３に、前記ｐＨコントローラ７の動作状態（ｐＨ調整剤の注入状態）を示す情報を取り込むように構成した点にある。そして凝集剤注入制御装置３においては、その制御管理手段３ａにおいてｐＨ調整剤の注入状態と、前記凝集センサ１１によって検出される凝集反応槽１内での凝集状態とに従って、前記ポンプ４を介する無機凝集剤Ａの注入を制御すると共に、ｐＨ調整剤Ｂの注入制御するｐＨコントローラ７の作動を制御ようにした点にある。
【００１９】
即ち、凝集剤注入制御装置３の制御管理手段３ａにおいては、懸濁液のｐＨが所定の範囲内に安定していることを条件としてポンプ４の作動を制御し、所定の凝集状態（濁度）が得られるように無機凝集剤Ａの注入を制御している。そして所定量のｐＨ調整剤Ｂを注入しても懸濁液のｐＨが低いレベルで安定しているような場合には、ｐＨコントローラ７における制御目標値を補正する（例えばｐＨを上げる）等してｐＨ調整剤の注入を促し、懸濁液のｐＨが安定した後に上記制御目標値を復元させると共に、前述した無機凝集剤Ａの注入制御を開始するものとなっている。
【００２０】
具体的には管理制御手段３ａは、前記ｐＨコントローラ７から求められる薬注情報からｐＨ調整剤Ｂの注入中であるか、注入停止後の予め設定した監視時間内であるか、或いは注入停止後の上記監視時間経過後であるかを判定している。そしてこのｐＨ調整剤の注入状態に応じて、次のようにしてその制御を管理している。
＜ｐＨ調整剤Ｂの注入停止後の所定時間経過後＞
即ち、ｐＨ調整剤Ｂの注入が行われていないと判断される場合、制御管理手段３ａは凝集センサ１１の出力が予め設定された幅を超えて変動しているか否かを判定している。そして凝集センサ１１の出力が大きく変化しているような場合には、制御管理手段３ａは、例えば図３に示すような凝集センサ１１の出力と懸濁液のｐＨとの関係に従い、凝集センサ１１の出力変化がｐＨの低下に起因するものであると判定する。そして凝集不良の要因がｐＨの変動であると判断して前述したｐＨコントローラ７における制御目標値を補正し、ｐＨ調整剤Ｂの注入を促す。そして懸濁液のｐＨが所定の適正範囲になったことを確認した後、前記第１の凝集センサ１１の出力に基づいて無機凝集剤Ａの注入制御を実行する。
＜ｐＨ調整剤Ｂの注入中、または注入停止後の予め設定した監視時間内＞
一方、ｐＨ調整剤Ｂの注入が行われている場合には、通常、ｐＨ計６の出力に基づいて懸濁液のｐＨは所定の適正範囲内に調整されている。従ってこの場合には、制御管理手段３ａは、例えば図４に示す凝集剤Ａの注入量と凝集センサ１１の出力との関係に従って無機凝集剤の注入制御を実行させ、その凝集状態の安定化を図る。
【００２１】
かくして上述した如くｐＨコントローラ７の作動状態からｐＨ調整剤Ｂの注入が行われているか否かを判断すれば、凝集センサ１１によって検出される懸濁液の凝集状態の変動が、ｐＨ調整剤Ｂの過不足に起因しているか否かを容易に判断することができ、懸濁液のｐＨを適正範囲に調整した後に無機凝集剤Ａの注入を効率的に制御することができる。従って凝集センサ１１を介して検出される凝集状態が悪くなっている要因がｐＨ調整剤Ｂの不足である場合に、無機凝集剤Ａを過剰に注入するような無駄がなくなる等の効果が奏せられる。
＜正常時＞
凝集沈降処理が正常に実施されている場合、凝集反応槽１内でのフロックは原水中の懸濁成分を取り込んで成長する。これ故、凝集フロックを除去した液相の濁度（未凝集のコロイド粒子等による濁度）は最も低い状態となる。この際、凝集センサ１１,１２を介してそれぞれ検出されるフロック情報および濁度の内、第１の凝集センサ１１を介して検出される懸濁液の濁度、特にフロックの影響を排した未凝集のコロイド粒子等に起因する濁度は最も低い値となる。また第１の凝集センサ１１を介して検出される情報は、成長したフロックに関する情報を多く含むので前述したフロックによる一時的に高い散乱光の強度が大きくなる。
【００２２】
一方、第２の凝集センサ１２を介して得られる処理水の濁度は、凝集処理と固液分離処理とが効率的に行われていれば、その濁度も十分に低い値となる。またフロックのリークも生じなければ、フロックによる一時的に高い散乱光が検出されなくなる。つまり凝集処理と固液分離処理とが正常に実施されている場合には、凝集反応槽１でのフロックの成長（形成）と沈殿槽２での固液分離（凝集フロックの除去）とがそれぞれ良好に行われるので、第１および第２の凝集センサ１１,１２にてそれぞれ検出される濁度は共に最も低い値となる。そしてフロックによる一時的に高い散乱光は、第１の凝集センサ１１では大きくなり、第２の凝集センサ１２では殆ど検出されなくなる。
＜凝集薬液の不足＞
これに対して無機凝集剤の注入量が不足した場合には、凝集反応槽１でのフロック形成が未熟となる。この結果、フロックが小さくなるので前述したフロックによる一時的に高く散乱光強度が小さくなる。またフロックに取り込まれない懸濁物質が液中に増えるので、懸濁液の濁度、特にフロックの影響を排した未凝集のコロイド粒子等に起因する濁度が上昇することになる。従って第１の凝集センサ１１にて検出される情報の変化をモニタし、フロックにより一時的に高くなる散乱光強度が小さくなったこと、或いは懸濁液の濁度、特にフロックの影響を排した未凝集のコロイド粒子等に起因する濁度が上昇したことが検出されれば、その要因が凝集剤の不足であると判断することができる。
【００２３】
＜凝集剤の過剰＞
また無機凝集剤が過剰に注入された場合、フロックの成長に伴って前述したフロックによる散乱光の強度は或る程度の変化を呈する。しかし急激に大きく形成されたフロックは崩れ易く、これに起因して細かなフロック（ピンフロック）が多量に形成される。このピンフロックは微少でその数も多いので、第１の凝集センサ１１では未凝集のコロイド粒子と区別することは困難である。この為、第１の凝集センサ１１により検出される懸濁液の濁度やフロック（ピンフロックを除く）の影響を排した未凝集のコロイド粒子等に起因する濁度が上昇する。つまり凝集剤が過剰な場合には、凝集剤が不足する場合と同様に懸濁液の濁度やフロック（ピンフロックを除く）の影響を排した未凝集のコロイド粒子等に起因する濁度が上昇するが、フロックによる一時的に高い散乱光の強度は或る程度の大きさを持つ。従ってこの散乱光の強度の違いを判定することで、凝集剤が過剰であるか、逆に不足しているかを区別することができる。
＜ｐＨ変動＞
ところで懸濁液のｐＨが所定の値から外れた場合（ｐＨ変動が生じた場合）には、ｐＨが所定の値に或る場合に比較して懸濁液の凝集剤注入量の過不足に対して懸濁液の凝集状態がより鋭敏に反応する。こり為、第１の凝集センサ１１を用いて検出される懸濁液の濁度やフロックの情報は、短い時間間隔で矯激に変動するようになる。しかし沈殿槽２で固液分離された処理水に着目すると、ｐＨ変動による懸濁液の凝集状態の急激な変動は、容量の大きい沈殿槽２でのバッファ（緩衝）機能により平均化されるため、第２の凝集センサ１２によって検出される情報はｐＨ変動の影響を殆ど受けない。
【００２４】
一方、ｐＨが所定の値に制御されている場合には、凝集剤の注入量が過剰であり、又は不足すると、ｐＨ変動が生じている場合に比較して懸濁液の濁度は徐々に変動する。従って沈殿槽２で固液分離された処理水の濁度は、凝集反応槽１における懸濁液の濁度の上昇ほど早くはないが、次第に上昇することになる。この凝集反応槽１内における懸濁液の濁度の上昇と、固液分離された処理水の濁度の上昇の違いは、沈殿槽２における懸濁液の滞留時間だけ、処理水の濁度ピークが遅れて発生することから識別できる。
【００２５】
従って第１の凝集センサ１１によって検出される懸濁液の凝集状態の変動の程度や、沈殿槽２における懸濁液の対流時間分の時間的な遅れはあるものの、第２の凝集センサ１２によって検出される処理水の情報を調べることでｐＨの変動の有無を容易に判定することが可能となる。また凝集反応槽１に設けた第１の凝集センサ１１により検出される懸濁液の濁度、特にフロックの影響を排した未凝集のコロイド粒子等に起因する濁度の上昇の度合い（変動信号の平均値）をモニタすれば、凝集フロックの崩れの程度を判断することができる。従ってこの判断結果に基づいて第２の凝集センサ１２にて検出される濁度がどの程度まで上昇するかを予想することが可能となるので、ｐＨ変動を考慮した凝集剤の過不足を判断することが可能となる。
＜処理水量や界面変動の影響＞
ところで処理水量の増加や界面の上昇に伴う処理水へのフロックの混入に起因する処理水濁度の上昇について考察する。この処理水量の増加や界面の上昇は、凝集反応槽１での凝集状態は殆ど関与しないので、第１の凝集センサ１１により検出される情報（信号）の変化は殆どない。しかしフロックのリークによって第２の凝集センサ１２により検出されるフロックの数が多くなる。従って第１の凝集センサ１１により検出される情報に変化がなく、第２の凝集センサによって検出される処理水のフロックの数だけが上昇するような場合には、処理水量の増加や界面の上昇に伴ってフロックのリークが発生していると判断することができる。
【００２６】
このような場合にはフロックのリークが収まるのを待つか、フロックリークの発生をオペレータに通知し、敢えて凝集剤の注入制御を行わないことが望ましい。尚、流量計等を用いて処理水量を監視しているならば、その流量変動の情報を用いて上述したフロックリークが処理水量の増大に要因するものであるか、或いは界面の異常上昇に原因するものであるかを判断することが可能となる。
【００２７】
そして凝集剤注入制御装置３においては、上述した如くして求めた水質変動の要因（判定結果）に従い、水質変動の要因が凝集剤の過不足である場合にだけ、ポンプ４の作動をフィードバック制御して凝集剤の注入量を適正化するものとなっている。換言すれば凝集剤の過不足以外の要因で水質変動が生じた場合には、凝集剤の注入量制御を禁止し、その時点での注入量を保つものとなっている。従って凝集条件に変動に対してその要因に応じた対策を適切に講じることが可能となり、安定した凝集剤の注入制御を行うことが可能となる。
【００２８】
尚、本発明は上述した実施形態に限定されるものではない。ここでは凝集沈殿を行う水処理システムを例に説明したが、加圧浮上処理により固液分離する水処理システムにも同様に適用することができる。この加圧浮上処理においては凝集剤が過剰な場合、フロック強度が低いことに起因して加圧処理時にフロックが壊れてピンフロックとなる。逆に凝集剤が不足する場合には、前述した凝集沈殿処理の場合と同様にフロックに取り込まれない懸濁物質が多く残ることになる。
【００２９】
また実施形態においては、凝集剤の過不足以外の要因で水質が変動した場合には、その要因に応じて沈殿槽２におけるスラッジの引き抜き量を制御することも勿論可能である。更には水処理設備の運転情報（処理水量や界面位置、ｐＨ値等）を入力しながら水質変動の要因を更に精度良く特定するように構成すること可能である。その他、本発明はその要旨を逸脱しない範囲で種々変形して実施することができる。
【図面の簡単な説明】
【００３０】
【図１】本発明の一実施形態に係る水処理システムの腰部概略構成図。
【図２】図１に示す水処理システムに用いられる凝集センサの例を示す図。
【図３】凝集反応処理水のｐＨと凝集センサの出力との関係を示す図。
【図４】凝集薬液の注入量と凝集センサの出力との関係を示す図。
【符号の説明】
【００３１】
１  凝集反応槽
２  沈殿槽
３  凝集剤注入制御装置
３ａ  制御管理手段
７  ｐＨコントローラ
１１  凝集センサ
【図１】
2005193203.tif 000003
【図２】
2005193203.tif 000004
【図３】
2005193203.tif 000005
【図４】
2005193203.tif 000006